(57)【特許請求の範囲】
【請求項１】
オーディオデータを含む第１のパックと、前記第１のパック内のオーディオデータに関する再生制御情報と文字情報を含む第２のパックとを有し、前記第２のパックを先頭として１以上の前記第１のパックを配置したデータ構造が記録されたデジタルディスクを再生するデジタルディスク再生装置であって、
前記第２のパック内の再生制御情報に基づいて後続の前記第１のパック内のオーディオデータを再生するオーディオデータ再生手段と、
前記第２のパック内の文字情報に基づいて前記オーディオデータ再生手段による再生中のオーディオデータに関する文字を表示する文字表示手段とを、
有し、前記文字表示手段は、前記オーディオデータ再生手段による再生中の第１のパックを制御する第２のパックより前の第２のパックの文字情報を先読みして表示するものであるデジタルディスク再生装置。
【請求項２】
オーディオデータを含む第１のパックと、前記第１のパック内のオーディオデータに関するサーチ情報を含む第２のパックとを有し、前記第２のパックを先頭として１以上の前記第１のパックを配置したデータ構造が記録されたデジタルディスクを再生するデジタルディスク再生装置であって、
前記第２のパック内のサーチ情報に基づいて第１のパック内のオーディオデータをサーチして再生するオーディオデータ再生手段を有し、前記サーチ情報は、少なくともアルバム、曲、インデックスのサーチ情報を含み、前記オーディオデータ再生手段は、前記アルバム、曲、インデックスのサーチ情報に基づいて少なくとも３階層で第１のパック内のオーディオデータをサーチして再生するものであるデジタルディスク再生装置。
【請求項３】
オーディオデータを含む第１のパックと、前記第１のパック内のオーディオデータに関する再生制御情報を含む第２のパックと、オーディオデータ以外のデータを含む第３のパックと、前記第３のパック内のデータに関する再生制御情報を含む第４のパックとを有し、前記第２又は第４のパックを先頭として１以上の前記第１ないし第４のパックを配置したデータ構造が記録されたデジタルディスクを再生するデジタルディスク再生装置であって、
前記第２のパック内の再生制御情報に基づいて後続の前記第１のパック内のオーディオデータを再生する第１の再生手段と、
前記第４のパック内の再生制御情報に基づいて後続の前記第３のパック内のデータを再生する第２の再生手段と、
オーディオデータのみを再生するモードが設定されている場合、前記第１の再生手段に給電するとともに前記第２の再生手段に給電されている電源をオフにする電源制御手段とを、
有するデジタルディスク再生装置。
【発明の詳細な説明】
【０００１】
【発明の属する技術分野】
本発明は、デジタルディスクに記録されたオーディオデータを再生するデジタルディスク再生装置に関する。
【０００２】
【従来の技術】
従来のオーディオ再生用光ディスクとしてはＣＤ（コンパクトディスク）が知られている。また、ＣＤより高密度な光ディスクとしてＤＶＤ（デジタルバーサタイルディスク）が知られている。
【０００３】
【発明が解決しようとする課題】
しかしながら、ＤＶＤ（以下、ＤＶＤ−ビデオ）ではビデオ信号が主、オーディオ信号が従として記録されるので、次のような問題点がある。
（１）オーディオ信号がビデオ信号と一体化されており、オーディオ信号の記録容量が少ない。
（２）オーディオ信号の時間を管理することができない。
（３）曲名などの簡単な文字情報を取り出すことができない。
【０００４】
また、ビデオに比べて、オーディオのユーザは使い方の層が幅広いので、ＣＤのようにＴＯＣ（テーブルオブコンテンツ）の領域を設けることにより簡易な再生方法が求められる。しかしながら、ＤＶＤ−ビデオでは、ナビゲーションコントロールパック（ＣＯＮＴパック）と複数のビデオ（Ｖ）パック及びオーディオ（Ａ）パックによりビデオコンテンツブロックユニットを構成してＶ、Ａパックの再生などをＣＯＮＴパックにより制御するので、オーディオ信号を主として記録しようとしてもユーザにとって簡易に再生することができず、使い勝手が悪いという問題点がある。
【０００５】
また、ＤＶＤ−ビデオでは、時間管理をビデオフレーム単位でのみ行うので、オーディオ信号を主として記録しようとしても、ビデオに比べてオーディオ信号は連続性が重要であるので実時間の管理が困難であるという問題点がある。
【０００６】
そこで、本発明は、ＤＶＤにオーディオ信号を主として記録する場合にユーザにとって使い勝手がよいＤＶＤ再生装置を提供することを目的とする。
【０００７】
【課題を解決するための手段】
本発明は上記目的を達成するために、オーディオデータを含む第１のパックに対して第１のパック内のオーディオデータに関する再生制御情報と文字情報を含む第２のパックを設け、第２のパック内の文字情報に基づいて再生中の第１のパック内のオーディオデータに関する文字を表示するようにしたものである。
本発明はまた、オーディオデータを含む第１のパックに対して第１のパック内のオーディオデータに関するサーチ情報を含む第２のパックを設け、第２のパック内のサーチ情報に基づいて第１のパックのオーディオデータをサーチするようにしたものである。
【０００８】
すなわち本発明によれば、オーディオデータを含む第１のパックと、前記第１のパック内のオーディオデータに関する再生制御情報と文字情報を含む第２のパックとを有し、前記第２のパックを先頭として１以上の前記第１のパックを配置したデータ構造が記録されたデジタルディスクを再生するデジタルディスク再生装置であって、
前記第２のパック内の再生制御情報に基づいて後続の前記第１のパック内のオーディオデータを再生するオーディオデータ再生手段と、
前記第２のパック内の文字情報に基づいて前記オーディオデータ再生手段による再生中のオーディオデータに関する文字を表示する文字表示手段とを、
有し、前記文字表示手段は、前記オーディオデータ再生手段による再生中の第１のパックを制御する第２のパックより前の第２のパックの文字情報を先読みして表示するデジタルディスク再生装置が提供される。
【０００９】
また、本発明によれば、オーディオデータを含む第１のパックと、前記第１のパック内のオーディオデータに関するサーチ情報を含む第２のパックとを有し、前記第２のパックを先頭として１以上の前記第１のパックを配置したデータ構造が記録されたデジタルディスクを再生するデジタルディスク再生装置であって、
前記第２のパック内のサーチ情報に基づいて第１のパック内のオーディオデータをサーチして再生するオーディオデータ再生手段を有し、前記サーチ情報は、少なくともアルバム、曲、インデックスのサーチ情報を含み、前記オーディオデータ再生手段は、前記アルバム、曲、インデックスのサーチ情報に基づいて少なくとも３階層で第１のパック内のオーディオデータをサーチして再生するデジタルディスク再生装置が提供される。
【００１０】
本発明はまた、上記目的を達成するために、オーディオデータのみを再生するモードが設定されている場合、オーディオデータ以外のデータを処理する回路に対する電源をオフにするようにしたものである。
すなわち本発明によれば、オーディオデータを含む第１のパックと、前記第１のパック内のオーディオデータに関する再生制御情報を含む第２のパックと、オーディオデータ以外のデータを含む第３のパックと、前記第３のパック内のデータに関する再生制御情報を含む第４のパックとを有し、前記第２又は第４のパックを先頭として１以上の前記第１ないし第４のパックを配置したデータ構造が記録されたデジタルディスクを再生するデジタルディスク再生装置であって、
前記第２のパック内の再生制御情報に基づいて後続の前記第１のパック内のオーディオデータを再生する第１の再生手段と、
前記第４のパック内の再生制御情報に基づいて後続の前記第３のパック内のデータを再生する第２の再生手段と、
オーディオデータのみを再生するモードが設定されている場合、前記第１の再生手段に給電するとともに前記第２の再生手段に給電されている電源をオフにする電源制御手段とを、
有するデジタルディスク再生装置が提供される。
【００１２】
【発明の実施の形態】
以下、図面を参照して本発明の実施の形態を説明する。図１はデジタルディスクであるＤＶＤ−ビデオのフォーマットと、本発明に係るＤＶＤ−オーディオのフォーマットの一実施形態を示す説明図、図２は図１のオーディオマネージャ（ＡＭＧ）のフォーマットを詳しく示す説明図、図３は図１のオーディオタイトルセット（ＡＴＳ）のフォーマットを詳しく示す説明図、図４は図２のオーディオマネージャインフォメーション（ＡＭＧＩ）のフォーマットを詳しく示す説明図、図５は図４のオーディオタイトルセット・アトリビュートテーブル（ＡＴＳ−ＡＴＲＴ）のフォーマットを詳しく示す説明図、図６は図５のオーディオタイトルセット・アトリビュートデータ（ＡＴＳ−ＡＴＲ）のフォーマットを詳しく示す説明図、図７は図３のオーディオタイトルセットインフォメーション（ＡＴＳＩ）のフォーマットを詳しく示す説明図、図８は図７のオーディオタイトルセットインフォメーション・マネージメントテーブル（ＡＴＳＩ−ＭＡＴ）のフォーマットを詳しく示す説明図、図９は図８のオーディオタイトルセットメニュー・オーディオストリーム・アトリビュートデータ（ＡＴＳＭ−ＡＳＴ−ＡＴＲ）を詳しく示す説明図、図１０は図８のオーディオタイトルセット・オーディオストリーム・アトリビュートテーブル（ＡＴＳ−ＡＳＴ−ＡＴＲＴ）のフォーマットを詳しく示す説明図、図１１は図１０の各オーディオストリームのアトリビュートデータ（ＡＴＳ−ＡＳＴ−ＡＴＲ）を詳しく示す説明図である。
【００１３】
また、図１２は図１のオーディオコンテンツブロックユニット（ＡＣＢＵ）を示す説明図、図１３は図１２のオーディオパックとビデオパックのフォーマットを詳しく示す説明図、図１４は図１２のオーディオコントロール（Ａ−ＣＯＮＴ）パックのフォーマットを詳しく示す説明図、図１５は図１２のオーディオキャラクタディスプレイ（ＡＣＤ）エリアのフォーマットを詳しく示す説明図、図１６は図１５のネームスペース情報により表示される例を示す説明図、図１７は図１４のオーディオサーチデータ（ＡＳＤ）エリアのフォーマットを詳しく示す説明図である。
【００１４】
また、図１８は図１７の現在番号情報のフォーマットを詳しく示す説明図、図１９は図１７の現在時刻情報のフォーマットを詳しく示す説明図、図２０は図１７のタイトルセットサーチ情報のフォーマットを詳しく示す説明図、図２１は図１７のタイトルサーチ情報のフォーマットを詳しく示す説明図、図２２は図１７のトラックサーチ情報のフォーマットを詳しく示す説明図、図２３は図１７のインデックスサーチ情報のフォーマットを詳しく示す説明図、図２４は図１７のハイライトサーチ情報のフォーマットを詳しく示す説明図、図２５は図１のオーディオコンテンツブロックユニットの変形例を示す説明図である。
【００１５】
また、図２６はＤＶＤ再生装置の一実施形態を示すブロック図、図２７は図２６のＤＶＤ再生装置を機能的に示すブロック図、図２８及び図２９はＡ−Ｖ同期再生処理を説明するためのフローチャート、図３０及び図３１はオーディオのみを再生する処理を説明するためのフローチャート、図３２はオーディオサーチ処理を説明するためのフローチャート、図３３はＤＶＤ再生装置の第２の実施形態を示すブロック図、図３４はＤＶＤ再生装置の第３の実施形態を示すブロック図である。
【００１６】
ここで、この説明のＤＶＤ−オーディオディスクには、ＣＤ世代からＤＶＤ−オーディオ世代に移行する際の過渡期に対応するように、オーディオ信号としてステレオ用２チャネルと５／６／８チャネルのマルチチャネルの両方の信号が記録される。また、この過渡期が経過した時には５／６／８チャネルのマルチチャネル信号のみが記録されるようになると考えられる。
【００１７】
図１（ａ）、（ｂ）はそれぞれＤＶＤ−ビデオ、ＤＶＤ−オーディオの各フォーマットを示し、ＤＶＤ−オーディオのフォーマットはエリアの名称が異なるがＤＶＤ−ビデオと互換性を有する。まず、大別してＤＶＤ−ビデオのフォーマットは先頭のビデオマネージャ（ＶＭＧ）と、それに続く複数のビデオタイトルセット（ＶＴＳ）の各エリアにより構成され、他方、ＤＶＤ−オーディオのフォーマットはこれに対応して図２に詳しく示すオーディオマネージャ（ＡＭＧ）と、図３に詳しく示すようにＡＭＧに続く複数のオーディオタイトルセット（ＡＴＳ）の各エリアにより構成されている。
【００１８】
ＶＴＳの各々は先頭のＶＴＳインフォメーション（ＶＴＳＩ）と、それに続く１以上のビデオコンテンツブロックセット（ＶＣＢＳ）と最後のＶＴＳＩにより構成され、他方、ＡＴＳの各々はこれに対応して先頭のＡＴＳインフォメーション（ＡＴＳＩ）と、それに続く１以上のオーディオコンテンツブロックセット（ＡＣＢＳ）と最後のＡＴＳＩにより構成されている。ＡＴＳＩには、ＡＣＢＳ内の各曲の演奏時間が実時間でセットされる。
【００１９】
ＶＣＢＳの各々は複数のＶＣＢにより構成され、他方、ＡＣＢＳの各々は複数のＡＣＢにより構成されている。ＶＣＢの各々はビデオの１タイトル（Ｔｉｔｌｅ）分であり、ＡＣＢの各々はこれに対応してオーディオの１アルバム（Ａｌｂｕｍ）分である。なお、オーディオの「アルバム」は「タイトル」とも言うので、以下、「タイトル」を用いる。ＶＣＢの各々（１タイトル）は複数のチャプタ（Ｃｈａｐｔｅｒ）により構成され、他方、ＡＣＢの各々（１タイトル）はこれに対応して複数のトラック（Ｔｒａｃｋ）により構成されている。チャプタはパートオブタイトル（ＰＴＴ）を含み、トラックはパートオブタイトル（ＰＴＴ）を含む。
【００２０】
チャプタの各々は複数のセル（ＣＥＬＬ）により構成され、他方、トラックの各々はこれに対応して複数のインデックス（Ｉｎｄｅｘ）により構成されている。セルの各々は複数のＶＣＢユニット（ＶＣＢＵ）により構成され、他方、インデックスの各々はこれに対応して複数のＡＣＢユニット（ＡＣＢＵ）により構成されている。ＶＣＢユニットとＡＣＢユニットの各々は、複数のパックにより構成され、１パックは２０４８バイトで構成されている。
【００２１】
ＶＣＢユニットの各々は、先頭のコントロールパック（以下、ＣＯＮＴパック）と、それに続く複数のビデオ（Ｖ）パック、オーディオ（Ａ）パック及びサブピクチャ（ＳＰ）パックにより構成され、他方、ＡＣＢユニットの各々は、これに対応して先頭のオーディオコントロールパック（以下、Ａ−ＣＯＮＴパック）と、それに続く複数のＡパックとＶパックにより構成されている。
【００２２】
ＣＯＮＴパックには後続のＶパックを制御する情報が配置され、Ａ−ＣＯＮＴパックにはＣＤのＴＯＣ情報のように後続のＡパックのオーディオ信号を管理するための情報が配置される。Ａパックにはオーディオデータが配置され、Ｖパックにはビデオデータの他、オーディオデータ以外の例えばクローズドキャプション（ＣＣ）データが配置される。
【００２３】
ＡＭＧ（オーディオマネージャ）は図２に示すように、
・図４に詳しく示すオーディオマネージャインフォメーション（ＡＭＧＩ）と、
・ＡＭＧメニュー用のオーディオコンテンツブロックセット（ＡＭＧＭ−ＡＣＢＳ）と、
・バックアップ用のＡＭＧＩ
を有する。ＡＭＧＭ−ＡＣＢＳはコントロール情報として
・プレゼンテーションコントロールインフォメーション（ＰＣＩ）と、
・データサーチインフォメーション（ＤＳＩ）
を有する。
【００２４】
ＡＴＳ（オーディオタイトルセット）は図３に示すように、
・図７に詳しく示すオーディオタイトルセットインフォメーション（ＡＴＳＩ）と、
・ＡＴＳメニュー用のオーディオコンテンツブロックセット（ＡＴＳＭ−ＡＣＢＳ）と、
・ＡＴＳアルバム用のオーディオコンテンツブロックセット（ＡＴＳＡ−ＡＣＢＳ）と、
・バックアップ用のＡＴＳＩ
を有する。ＡＴＳＭ−ＡＣＢＳとＡＴＳＡ−ＡＣＢＳは共に、前述（図２）したＰＣＩとＤＳＩを有する。
【００２５】
ＡＭＧＩ（オーディオマネージャインフォメーション）は図４に詳しく示すように、
・ＡＭＧＩのマネージメントテーブル（ＡＭＧＩ−ＭＡＴ）と、
・タイトルのサーチポインタテーブル（Ｔ−ＳＲＰＴ）と、
・オーディオマネージャメニューＰＧＣＩユニットテーブル（ＡＭＧＭ−ＰＧＣＩ−ＵＴ）と、
・ペアレンタルマネージメントインフォメーションテーブル（ＰＴＬ−ＭＡＩＴ）と、
・図５に詳しくオーディオタイトルセット・アトリビュートテーブル（ＡＴＳ−ＡＴＲＴ）と、
・テキストデータマネージャ（ＴＸＴＤＴ−ＭＧ）と、
・オーディオマネージャメニューセル（インデックス）アドレステーブル（ＡＭＧＭ−Ｃ−ＡＤＴ）と、
・オーディオマネージャメニュー・オーディオコンテンツブロックユニット・アドレスレスマップ（ＡＭＧＭ−ＡＣＢＵ−ＡＤＭＡＰ）
を有する。
【００２６】
ＡＴＳ−ＡＴＲＴ（オーディオタイトルセット・アトリビュートテーブル）は図５に詳しく示すように、
・オーディオタイトルセットアトリビュートテーブルインフォメーション（ＡＴＳ−ＡＴＲＴＩ）と、
・複数（ｎ）個のＡＴＳの各々のオーディオタイトルセットアトリビュートサーチポインタ（ＡＴＳ−ＡＴＲ−ＳＲＰ＃１〜＃ｎ）と、
・図６に詳しく示すような複数（ｎ）個のＡＴＳの各々のオーディオタイトルセット・アトリビュートデータ（ＡＴＳ−ＡＴＲ＃１〜＃ｎ）
を有する。
【００２７】
オーディオタイトルセット・アトリビュートデータ（ＡＴＳ−ＡＴＲ＃１〜＃ｎ）の各々は、図６に詳しく示すように
・ＡＴＳ−ＡＴＲ−ＥＡ（エンドアドレス）と、
・ＡＴＳ−ＣＡＴ（カテゴリー）と、
・ＡＴＳ−ＡＴＲＩ（インフォメーション）
を有する。
【００２８】
図３に示すＡＴＳＩ（ＡＴＳインフォメーション）は図７に詳しく示すように、
・図８に詳しく示すオーディオタイトルセットインフォメーション・マネージメントテーブル（ＡＴＳＩ−ＭＡＴ）と、
・オーディオタイトルセット・パートオブタイトル・サーチポインタテーブル（ＡＴＳ−ＰＴＴ−ＳＲＰＴ）と、
・オーディオタイトルセット・プログラムチェーンインフォメーションテーブル（ＡＴＳ−ＰＧＣＩＴ）と、
・オーディオタイトルセットメニュー・ＰＧＣＩ・ユニットテーブル（ＡＴＳＭ−ＰＧＣＩ−ＵＴ）と、
・オーディオタイトルセット・タイムマップテーブル（ＡＴＳ−ＴＭＡＰＴ）と、
・オーディオタイトルセットメニュー・セル・アドレステーブル（ＡＴＳＭ−Ｃ−ＡＤＴ）と、
・オーディオタイトルセットメニュー・オーディオコンテンツオブジェクトユニット・アドレスマップ（ＡＴＳＭ−ＡＣＢＵ−ＡＤＭＡＰ）と、
・オーディオタイトルセット・セル・アドレステーブル（ＡＴＳ−Ｃ−ＡＤＴ）と、
・オーディオタイトルセット・オーディオコンテンツオブジェクトユニット・アドレスマップ（ＡＴＳ−ＡＣＢＵ−ＡＤＭＡＰ）
を有する。
【００２９】
図７に示すＡＴＳＩ−ＭＡＴ（オーディオタイトルセットインフォメーション・マネージメントテーブル）は図８に詳しく示すように、
・ＡＴＳ−ＩＤ（識別子）と、
・ＡＴＳ−ＥＡ（エンドアドレス）と、
・ＡＴＳＩ−ＥＡと、
・ＶＥＲＮ（ＤＶＤオーディオスペックのバージョン番号）と、
・ＡＴＳ−ＣＡＴ（カテゴリー）と、
・ＡＴＳＩ−ＭＡＴ−ＥＡと、
・ＡＴＳＭ−ＡＣＢＳ−ＳＡ（スタートアドレス）と、
・ＡＴＳＡ−ＡＣＢＳ−ＳＡと、
・ＡＴＳ−ＰＴＴ−ＳＲＰＴ−ＳＡと、
・ＡＴＳ−ＰＧＣＩＴ−ＳＡと、
・ＡＴＳＭ−ＰＧＣＩ−ＵＴ−ＳＡと、
・ＡＴＳ−ＴＭＡＰ−ＳＡと、
・ＡＴＳＭ−Ｃ−ＡＤＴ−ＳＡと、
・ＡＴＳＭ−ＡＣＢＵ−ＡＤＭＡＰ−ＳＡと、
・図９に詳しく示すようなＡＴＳＭ−ＡＳＴ−ＡＴＲ（ＡＴＳＭのオーディオストリーム・アトリビュート）と、
・ＡＴＳ−ＡＳＴ−Ｎｓ（ＡＴＳのオーディオストリームの数）と、
・図１０に詳しく示すようなＡＴＳ−ＡＳＴ−ＡＴＲＴ（ＡＴＳのオーディオストリーム・アトリビュートテーブル）
を有する。
【００３０】
ＡＴＳＭ−ＡＳＴ−ＡＴＲは図９に詳しく示すように８バイト（ビットｂ６３〜ｂ０）により構成され、このディスクに記録されている符号化オーディオ信号の属性として次のようなデータ（１）〜（４）が配置される（他のビットは保留）。
（１）オーディオ符号化モード（３ビットｂ６３〜ｂ６１）
０００ｂ：ドルビーＡＣ−３
０１０ｂ：ＭＰＥＧ−１又はＭＰＥＧ−２（拡張ビットストリーム無し）
０１１ｂ：ＭＰＥＧ−２（拡張ビットストリーム有り）
１００ｂ：リニヤＰＣＭオーディオ
１０１ｂ：リニヤＰＣＭオーディオ（２ｃｈ＋５ｃｈ、２ｃｈ＋６ｃｈ、２ｃｈ＋８ｃｈを含む。）
【００３１】
（２）量子化／ＤＲＣ（ダイナミックレンジコントロール）情報（２ビットｂ５５、ｂ５４）
・オーディオ符号化モードが「０００ｂ」の場合には「１１ｂ」
・オーディオ符号化モードが「０１０ｂ」又は「０１１ｂ」の場合、
００ｂ：ＭＰＥＧオーディオストリーム内にダイナミックレンジコントロールデータが存在しない
０１ｂ：ＭＰＥＧオーディオストリーム内にダイナミックレンジコントロールデータが存在する
１０ｂ，１１ｂ：保留
・オーディオ符号化モードが「１００ｂ」、「１０１ｂ」の場合、ステレオ２ｃｈに対して
００ｂ：１６ビット
０１ｂ：２０ビット
１０ｂ：２４ビット
１１ｂ：保留
【００３２】
（３）サンプリング周波数ｆｓ（２ビットｂ５３、ｂ５２）
ステレオ２ｃｈに対して
００ｂ：４８ｋＨｚ
０１ｂ：９６ｋＨｚ
１０ｂ：１９２ｋＨｚ
（４）オーディオチャネル数（３ビットｂ５０〜ｂ４８）
０００ｂ：１ｃｈ（モノラル）
００１ｂ：２ｃｈ（ステレオ）
０１０ｂ：３ｃｈ
０１１ｂ：４ｃｈ
１００ｂ：（ステレオ２ｃｈ＋５ｃｈ）
１０１ｂ：（ステレオ２ｃｈ＋６ｃｈ）
１１０ｂ：７ｃｈ
１１１ｂ：（ステレオ２ｃｈ＋８ｃｈ）
【００３３】
図１０に示すＡＴＳ−ＡＳＴ−ＡＴＲＴ（ＡＴＳのオーディオストリーム・アトリビュートテーブル）は図１１に詳しく示すように、オーディオストリーム＃０〜＃７毎のＡＴＳ−ＡＳＴ−ＡＴＲを有し、ＡＴＳ−ＡＳＴ−ＡＴＲの各々は８バイトで構成されている（合計６４バイト）。
【００３４】
１つのオーディオストリームのＡＴＳ−ＡＳＴ−ＡＴＲは図１１に示すように、図９に示すオーディオタイトルセットメニュー・オーディオストリーム・アトリビュートデータ（ＡＴＳＭ−ＡＳＴ−ＡＴＲ）と同様な８バイト（ビットｂ６３〜ｂ０）で構成され、上記属性データ（１）〜（４）の他に、
（５）マルチチャネル・イクステンション（ＭＥ）（１ビットｂ６０）と、
（６）オーディオタイプ（２ビットｂ５９、ｂ５８）と、
（７）オーディオアプリケーションモード（２ビットｂ５７、ｂ５６）と、
（８）そのストリーム（ＡＳＴ）の間引き情報（２ビットｂ４７、ｂ４６）と、
（９）ＬＦＥ１ｃｈのみの間引き情報（２ビットｂ４５、ｂ４４）
の各データを有する。そして、このＤＶＤオーディオディスクの（７）オーディオアプリケーションモードには、
１１ｂ：２ｃｈ＋サラウンドモード
が記録され、また、（８）そのストリームの間引き情報と、（９）ＬＦＥ１ｃｈのみ間引き情報には共に、帯域情報として
００ｂ：フル（１／１）
０１ｂ：ハーフ（１／２）
１０ｂ：クオータ（１／４）
が記録される。
【００３５】
ただし、このＡＴＳＭ−ＡＳＴ−ＡＴＲにおける（４）オーディオチャネル数は、オーディオストリーム＃０では必ず２ｃｈとなり、また、オーディオストリーム＃１はフロントの３ｃｈを含む。すなわち、例えば１つのタイトルのオーディオ信号を２＋６ｃｈで記録する場合、２ｃｈのステレオ信号をオーディオストリーム＃０に割り当て、６ｃｈの内、３ｃｈのフロント信号をオーディオストリーム＃１に割り当て、２ｃｈのリヤ信号とＬＦＥ１ｃｈ信号をオーディオストリーム＃２に割り当てる。そして、図４に示すオーディオマネージャインフォメーション・マネージメントテーブル（ＡＭＧＩ−ＭＡＴ）と図７（図８）に示すオーディオタイトルセットインフォメーション・マネージメントテーブル（ＡＴＳＩ−ＭＡＴ）には共に、ストリーム＃０〜＃２の利用データとして「３」が記録される。
【００３６】
また、この２＋６ｃｈのアナログオーディオ信号を例えば次のようなサンプリング周波数ｆｓでサンプリングし、次のような量子化ビット数で量子化して記録する場合、
ステレオ２ｃｈ        ：４８ｋＨｚ、２０ビット
フロント３ｃｈ        ：９６ｋＨｚ、１６ビット
リヤ２ｃｈ、ＬＦＥ１ｃｈ：４８ｋＨｚ、１６ビット（間引きなし）
図９に示すオーディオタイトルセットメニュー・オーディオストリーム・アトリビュートデータ（ＡＴＳＭ−ＡＳＴ−ＡＴＲ）にはステレオ２ｃｈの属性として
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
０１ｂ：２０ビット
（３）サンプリング周波数ｆｓ
００ｂ：４８ｋＨｚ
（４）オーディオチャネル数
１０１ｂ：（ステレオ２ｃｈ＋６ｃｈ）
が記録される。
【００３７】
また、オーディオストリーム＃０のＡＴＳ−ＡＳＴ−ＡＴＲには
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
０１ｂ：２０ビット
（３）サンプリング周波数ｆｓ
００ｂ：４８ｋＨｚ
（４）オーディオチャネル数
００１ｂ：２ｃｈ（ステレオ）
（７）オーディオアプリケーションモード
１１ｂ：２ｃｈ＋サラウンドモード
（８）そのストリームの間引き情報
００ｂ：フル（１／１）
（９）ＬＦＥ１ｃｈのみ間引き情報
００ｂ：フル（１／１）
が記録される。
【００３８】
また、オーディオストリーム＃１のＡＴＳ−ＡＳＴ−ＡＴＲには
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
００ｂ：１６ビット
（３）サンプリング周波数ｆｓ
０１ｂ：９６ｋＨｚ
（４）オーディオチャネル数
０１０ｂ：３ｃｈ
（７）オーディオアプリケーションモード
１１ｂ：２ｃｈ＋サラウンドモード
（８）そのストリームの間引き情報
００ｂ：フル（１／１）
（９）ＬＦＥ１ｃｈのみ間引き情報
００ｂ：フル（１／１）
が記録される。
【００３９】
また、オーディオストリーム＃２のＡＴＳ−ＡＳＴ−ＡＴＲには
（１）オーディオ符号化モード
１０１ｂ：リニヤＰＣＭオーディオ（２ｃｈ＋５ｃｈ、２ｃｈ＋６ｃｈ、２ｃｈ＋８ｃｈを含む。）
（２）量子化／ＤＲＣ
００ｂ：１６ビット
（３）サンプリング周波数ｆｓ
００ｂ：４８ｋＨｚ
（４）オーディオチャネル数
０１０ｂ：３ｃｈ
（７）オーディオアプリケーションモード
１１ｂ：２ｃｈ＋サラウンドモード
（８）そのストリームの間引き情報
００ｂ：フル（１／１）
（９）ＬＦＥ１ｃｈのみ間引き情報
００ｂ：フル（１／１）
が記録される。
【００４０】
次に、オーディオストリームが記録されるＡパックとその制御パックについて説明する。図１２に示すようにＶＣＢユニットは０．４〜１．０秒分の任意の数のパックにより構成され、ＡＣＢユニットは０．５〜１．０秒分の任意の数のパックにより構成されている。また、ＤＶＤ−オーディオのＡＣＢユニットにおけるＡ−ＣＯＮＴパックは、ＤＶＤ−ビデオのＶＣＢユニットにおける第３パックに配置される。
【００４１】
Ａ−ＣＯＮＴパックは基本的にオーディオ時間の０．５秒単位に配置され、インデックスの切れ目では０．５〜１．０秒の範囲で完結するように配置される。また、オーディオの時間（ＧＯＦ：Ｇｒｏｕｐ  ｏｆ  Ａｕｄｉｏ  Ｆｒａｍｅ単位）はＡ−ＣＯＮＴパックにより示され、そのデータ位置はオーディオフレームナンバと、ファーストアクセスユニットポインタとフレームヘッダの数により決まる。また、Ａ−ＣＯＮＴパック直前のＡパックは、オーディオ時間の０．５秒単位でパディングすることを強制しない。
【００４２】
隣接するＡパックは、オーディオ信号がお互いに関連するように配置され、例えばステレオの場合にはＬチャネルパックとＲチャネルパックが隣接して配置され、また、５／６／８チャネルのマルチチャネルの場合にも同様に隣接して配置される。Ｖパックはオーディオ信号の再生時に映像を表示する場合にそのＡパックに隣接して配置される。ＡパックとＶパックは、図１３に示すように２０３４バイトのユーザデータ（Ａデータ、Ｖデータ）に対して４バイトのパックスタート情報と、６バイトのＳＣＲ（Ｓｙｓｔｅｍ  Ｃｌｏｃｋ  Ｒｅｆｅｒｅｎｃｅ：システム時刻基準参照値）情報と、３バイトのＭｕｘ  レート（ｒａｔｅ）情報と１バイトのスタッフィングの合計１４バイトのパックヘッダが付加されて構成されている（１パック＝合計２０４８バイト）。この場合、タイムスタンプであるＳＣＲ情報を、ＡＣＢユニット内の先頭パックでは「１」として同一タイトル内で連続とすることにより同一タイトル内のＡパックの時間を管理することができる。
【００４３】
これに対し、Ａ−ＣＯＮＴパックは図１４に示すように、１４バイトのパックヘッダと、２４バイトのシステムヘッダと、１００３バイトのＡＣＤ（オーディオキャラクタディスプレイ）パケットと、１００７バイトのＡＳＤ（オーディオサーチデータ）パケットにより構成されている。また、ＡＣＤパケットは６バイトのパケットヘッダと、１バイトのサブストリームＩＤと、図１５に詳しく示すような６３６バイトのＡＣＤ（オーディオキャラクタディスプレイ）情報と、３６０バイトの保留エリアにより構成されている。ＡＳＤパケットは同じく６バイトのパケットヘッダ及び１バイトのサブストリームＩＤと、図１７に詳しく示すような１０００バイトのＡＳＤ（オーディオサーチデータ）により構成されている。
【００４４】
６３６バイトのＡＣＤ情報エリアは、図１５に詳しく示すように４８バイトのジェネラル情報エリアと、９３バイトのネームスペースエリアと、各々９３バイトの２つのフリースペースエリアと、１５バイトのデータポインタエリアと、２９４バイトのオーディオ再生制御情報エリアにより構成されている。ネームスペースエリアには例えば図１６に示すような楽曲名を表示するために３１バイトの１／４角のヘッダ用文字データと、６２バイトの全角、半角の本文用文字データが配置される。
【００４５】
４８バイトのジェネラル情報は、例えば１６バイトのサービスレベル情報と、１２バイトの言語コード情報と、６バイトの文字セットコード情報と、６バイトの表示アイテム情報と、２バイトの「前のＡＣＤ情報との相違」情報と、６バイトの保留情報により構成される。１６バイトのサービスレベル情報は、表示サイズ、表示の種類、オーディオ／ビデオ／ＳＰの区別、ストリームなどを示し、また、文字はマンダトリー、ビットマップはオプションである。１２バイトの言語セットコード情報はビデオファイルと同様に文字「１」「２」の言語をそれぞれ２バイトで示し、１ファイル中最大８言語分を示す。英語はマンダトリーである。
【００４６】
６バイトの文字セットコード情報は、言語コードに対応した文字コードを最大１５個持つことが可能であり、文字「１」「２」の言語の有無と種類を１バイトで示す。コード例を以下に示す。
１．ＩＳＯ６４６
２．ＩＳＯ８８５９−１
３．ＭＳ−ＪＩＳ
６バイトの表示アイテム情報は、図１５に示すフリースペース「１」「２」、データポインタの有無、ＩＤを示す。ネームスペースはマンダトリーであり、タイトルネーム、ミュージックネーム、アーティストネームは必ず記述する。
【００４７】
２９４バイトのオーディオ再生制御情報エリアの内容は任意であり、例えば各々２５バイトの１０種類分のオーディオ再生制御情報エリア（２５０バイト）と４４バイトの保留エリアにより構成される。１種類分のオーディオ再生制御情報エリアには２０バイトのグラフィックイコライザ情報と、３バイトのレベルバランス情報と２バイトの残響付加情報が配置され、この情報はユーザにより選択されてオーディオ信号の音質が制御される。これらのオーディオ再生制御情報は、Ａパックに配置されている楽曲をユーザが再生する場合に例えばその楽曲のジャンル（クラシック、ジャズ、ロック、ＢＧＭ）に応じて、また、同一ジャンルであってもその楽曲の演奏状態、録音状態、雰囲気などに応じて再生時の音質が最も良くなるようにいわゆるプロのミキサが推奨するデータである。
【００４８】
１０００バイトのＡＳＤ（オーディオサーチデータ）は、図１７に詳しく示すように１６バイトのジェネラル情報と、図１８に詳しく示す８バイトの現在の番号情報と、図１９に詳しく示す１６バイトの現在時刻情報と、図２０に詳しく示す８バイトのタイトルセットサーチ情報と、図２１に詳しく示す８バイトのタイトルサーチ情報と、図２２に詳しく示す４０４バイトのトラックサーチ情報と、図２３に詳しく示す４０８バイトのインデックスサーチ情報と、図２４に詳しく示す８０バイトのハイライトサーチ情報と、５２バイトの保留エリアにより構成されている。
【００４９】
８バイトの現在の番号情報は、図１８に詳しく示すようにタイトルセットの現在のタイトル番号（１バイト：ＢＣＤ）と、タイトルセットの現在のトラック番号（１バイト：ＢＣＤ）と、トラックの現在のインデックス番号（１バイト：ＢＣＤ）と保留領域（５バイト）により構成されている。１６バイトの現在時刻情報は、図１９に詳しく示すようにトラックのプレイバック時間（４バイト：ＢＣＤ）と、トラックの残りのプレイバック時間（４バイト：ＢＣＤ）と、タイトルの絶対時間（４バイト：ＢＣＤ）とタイトルの残りの絶対時間（４バイト：ＢＣＤ）により構成されている。
【００５０】
８バイトのタイトルセットサーチ情報は、図２０に詳しく示すようにタイトルセットの最初のセクタ番号（４バイト）と、タイトルセットの最後のセクタ番号（４バイト）により構成されている。８バイトのタイトルサーチ情報は、図２１に詳しく示すようにタイトルの最初のセクタ番号（４バイト）と、タイトルの最後のセクタ番号（４バイト）により構成されている。４０４バイトのトラックサーチ情報は、図２２に詳しく示すようにタイトルのトラック及びセクタ番号（４バイト×９９）と、タイトルの最初のトラック番号（４バイト）とタイトルの最後のトラック番号（４バイト）により構成されている。
【００５１】
４０８バイトのインデックスサーチ情報は、図２３に詳しく示すようにトラックのインデックス及びセクタ番号（４バイト×１００）と、トラックの最初のインデックス番号（４バイト）とトラックの最後のインデックス番号（４バイト）により構成されている。８０バイトのハイライトサーチ情報は、図２４に詳しく示すようにトラックのインセクタ番号（４バイト×１０）とトラックのアウトセクタ番号（４バイト×１０）により構成されている。
【００５２】
このようなフォーマットによれば、複数のＡパックの先頭に、ＣＤのＴＯＣ情報のように後続のＡパックのオーディオ信号を管理するためのＡ−ＣＯＮＴパックが配置されるので、オーディオデータはビデオデータなどとは一体化されず、記録容量を多くすることができる。また、Ａ−ＣＯＮＴパックによりオーディオ時間を管理することができ、また、Ａ−ＣＯＮＴパックによりオーディオデータに関する曲名などの簡単な文字情報を取り出すことができる。
【００５３】
また、Ａ−ＣＯＮＴパック内にタイトル、スタートアドレス、演奏時間などの情報を配置するので、オーディオ再生中であってもユーザの操作に応じた情報をＡ−ＣＯＮＴパックから取り出して再生を開始することができる。また、オーディオマネージャインフォメーション（ＡＭＧＩ）とオーディオタイトルセットインフォメーション（ＡＴＳＩ）内に頭出し用のＴＯＣ情報を配置することにより、必要なＴＯＣ情報を再生器内のメモリ記憶させて、ユーザの操作に応じた情報をメモリから即座に読み出して頭出し再生を開始することができる。また、ＤＶＤ−ビデオにおけるプログラムチェーンインフォメーション（ＰＧＣＩ）のような大きな容量の情報を記憶する必要がないので、ディスクを効率的に管理することができる。
【００５４】
さらに、
１．コンテンツ内に画像（Ｖ）データがない場合、
（１）アルバム、曲、インデックスの３階層に対するサーチ、ランダムアクセスが可能になる。
（２）ＧＯＦ（オーディオフレーム）単位の頭出し、タイムサーチ、ランダムアクセスが可能になる。
（３）アルバム、曲、インデックスの時間を実時間で管理することができる。
【００５５】
また、
２．コンテンツ内に画像（Ｖ）データがある場合、
オーディオデータに関しては、
上記（１）〜（３）の他に、
（４）アルバム、曲中の現在時間、残り時間を実時間で表示、管理することができる。
ビデオデータに関しては、
（１）タイトル、ＰＴＴ、セルの３階層に対するサーチ、ランダムアクセスが可能になる。
（２）ビデオフレーム単位の頭出し、タイムサーチ、ランダムアクセスが可能になる。
（３）タイトル、ＰＴＴ、セルの時間を実時間で管理することができる。
（４）ＰＴＴ又はタイトル中の現在時間、残り時間をビデオフレーム単位時間で表示、管理することができる。
【００５６】
なお、図１（ｂ）のＡＣＢＵは、Ａ−ＣＯＮＴパックとＶパックを含んでいるが、図２５に示すようにＶパックとＣＯＮＴパックは含まないように構成してもよい。この場合にはビデオ信号は記録されないが、オーディオ信号の記録容量が割り増しになる特徴があり、ディスクサイズを小型化することができ、また、再生機能を簡略化することができるのでポータブル用の再生装置に適するものを提供することができる。
【００５７】
次に、図２６を参照して本発明に係る再生装置の第１の実施形態について説明する。ＤＶＤオーディオディスク１には、上記構造のデータがＥＦＭ変調されてピットの形式で記録されている。操作部１８やリモコン装置１９により曲目選択、再生、早送り、停止操作などが行われると、制御部２３はその操作に応じてドライブ装置２と再生装置１７を制御し、再生時にはディスク１に記録されたピットデータがドライブ装置２により読み取られた後、ＥＦＭ復調される。
【００５８】
再生装置１７では、この信号がビデオ処理（再生）部１７Ｖ内のＣＯＮＴパック検出部３とオーディオ再生部内のＡ−ＣＯＮＴパック検出部９に送られる。ビデオ再生部１７Ｖでは、ＣＯＮＴパック検出部３がこの再生データ中のＣＯＮＴパックを検出して制御パラメータをパラメータ部８に設定するとともに、ＣＯＮＴパックにより制御されるＶパックをＶパックバッファ４に順次書き込む。Ｖパックバッファ４に書き込まれたＶパック内のユーザデータ（ビデオ信号、サブピクチャ情報）は、バッファ取り出し部５によりＶパック内のＳＣＲ（図１３参照）に基づいてパック順に、また、ＣＯＮＴパック内のＰＴＳに基づいて出力時刻順に取り出され、次いで画像変換部６、Ｄ／Ａ変換部７、ビデオ出力端子１５、１５’を介してアナログビデオ信号として出力される。これらのブロック３〜８はビデオ処理部１７Ｖを構成し、このビデオ処理部１７Ｖは制御部２３の制御に基づいて内部電源スイッチ制御部３０が電源スイッチＳＷをオンにしている場合に動作する。
【００５９】
また、オーディオ再生部では、Ａ−ＣＯＮＴパック検出部９が再生データ中のＡ−ＣＯＮＴパックを検出して制御パラメータをパラメータ部１４に設定するとともに、Ａ−ＣＯＮＴパックにより制御されるＡパックをＡパックバッファ１０に順次書き込む。Ａパックバッファ１０に書き込まれたＡパック内のユーザデータ（オーディオ信号）は、バッファ取り出し部１１によりＳＣＲに基づいてパック順に、また、Ａ−ＣＯＮＴパック内のオーディオサーチデータＡＳＤの現在時刻（図１７参照）に基づいて出力時刻順に取り出され、次いでＰＣＭ変換部１２、Ｄ／Ａ変換部１３、オーディオ出力端子１６を介してアナログオーディオ信号として出力される。また、Ａ−ＣＯＮＴパック中の表示用データ（図１５、図１６に示すオーディオキャラクタディスプレイ情報ＡＣＤ）は表示信号生成部２０に送られて表示信号が生成され、この表示信号は表示信号出力端子２２を介して出力されたり、内蔵の文字表示部２１に出力される。
【００６０】
図２７は図２６に示す構成を機能的に示すブロック図である。再生手段２は図２６に示すドライブ装置２に対応し、再生信号処理分離手段Ａ（９、１０、１１、１４）はＡ−ＣＯＮＴパック検出部９、Ａパックバッファ１０、バッファ取り出し部１１及びパラメータ部１４に対応し、オーディオ信号出力手段（１２、１３）はＰＣＭ変換部１２及びＤ／Ａ変換部１３に対応している。また、文字情報出力手段２０は表示信号生成部２０に対応し、表示手段２１は文字表示部２１に対応している。また、再生信号処理分離手段Ｖ（３、４、５、８）はＣＯＮＴパック検出部３、Ｖパックバッファ４、バッファ取り出し部５及びパラメータ部８に対応し、ビデオ信号手段とサブピクチャ情報手段（６、７）は画像変換部６及びＤ／Ａ変換部７に対応している。制御手段２３は制御部２３に対応している。
【００６１】
図２７において、制御手段２３は操作部１８やリモコン装置１９から目的の楽曲を再生するためのコマンド信号が送られてくると、その再生コマンドに応じたアドレス制御情報信号を再生手段２に送ることによりディスク１から目的の楽曲を再生する。再生信号処理分離手段Ａは再生データを分離してＡ−ＣＯＮＴ情報を制御手段２３に送り、オーディオ信号をオーディオ信号出力手段（１２、１３）に送り、文字情報を文字情報出力手段２０に送る。再生信号処理分離手段Ｖは再生データを分離してＣＯＮＴ情報を制御手段２３に送り、ビデオ信号とサブピクチャ情報をそれぞれビデオ信号手段とサブピクチャ情報手段（６、７）に送る。
【００６２】
また、ＡＭＧＩ（オーディオマネージャインフォメーション）や、ＡＴＳＩ（オーディオタイトルセットインフォメーション）の空きエリアや、図１４に示すＡ−ＣＯＮＴパックのＡＣＤパケット内の保留エリア（３６０バイト分）に対してＴＯＣ情報を追加して記録し、再生装置がこのＴＯＣ情報にアクセスしてＴＯＣ情報記憶部１４’に記憶して曲の頭出しを行うことができる。このＴＯＣ情報としては、ＣＤのリードインエリアに記録されているものを用いることができる。
【００６３】
ここで、ＣＤにおいて用いられているＴＯＣ情報では、ポイント＝００〜９９のときにその数字で示される各楽章が始まる絶対時間が分（ＰＭＩＮ）、秒（ＰＳＥＣ）及びフレーム（ＰＦＲＡＭＥ）で表される。また、ポイント＝Ａ０のときにＰＭＩＮが最初の楽章を示し、ＰＳＥＣ＝ＰＦＲＡＭＥ＝０となる。ポイント＝Ａ１のときにはＰＭＩＮが最後の楽章を示し、ＰＳＥＣ＝ＰＦＲＡＭＥ＝０となる。ポイント＝Ａ２のときにはリードアウトエリアが始まる絶対時間が分（ＰＭＩＮ）、秒（ＰＳＥＣ）及びフレーム（ＰＦＲＡＭＥ）で表される。
【００６４】
そして、このＴＯＣ情報は再生開始時に読み取られてＴＯＣ情報記憶部１４’に記憶され、曲又は楽章の頭出し再生が指定されると、このＴＯＣ情報記憶部１４’を参照してディスク１にアクセスする。なお、このＴＯＣ情報はまた、ＡＭＧＩ、ＡＴＳＩ又はＡ−ＣＯＮＴパックに記録するとともに、さらに図２７に示すようにディスク１の最内周部のリードインエリア（図示ＴＯＣ領域１ａ）に追加して記録し、再生開始時にはＴＯＣ検出手段２４がこのＴＯＣ領域１ａを独立してアクセスしてＴＯＣ情報記憶部１４’に記憶するようにしてもよい。
【００６５】
次に、図２８、図２９を参照してＴＯＣ情報やサーチ情報などの再生制御情報を用いたＡ−Ｖ同期再生処理を説明する。図２８において、例えば曲又は楽章の頭出し再生が指定されると、その指定位置に対応するＴＯＣ情報を参照し（ステップＳ１）、次いでそのＴＯＣ情報に基づいてセルとインデックスの場所を計算する（ステップＳ２）。次いでその場所をサーチし（ステップＳ３）、確認すると図２９に詳しく示すようなＡとＶの同期再生を行う（ステップＳ４→Ｓ５）。
【００６６】
図２９において、ＣＯＮＴパックを再生し（ステップＳ１１）、次いでＡ−ＣＯＮＴパックを再生し（ステップＳ１２）、次いでＣＯＮＴパックとＡ−ＣＯＮＴパック内の時刻情報が同一時刻か否かをチェックする（ステップＳ１３）。そして、同一時刻でない場合にはＣＯＮＴパックとＡ−ＣＯＮＴパックの両方を±１パック分だけ調整し（ステップＳ１４）、次いでステップＳ１１に戻ってそのＣＯＮＴパックとＡ−ＣＯＮＴパックを再生する。なお、ステップＳ１４では、ＣＯＮＴパックとＡ−ＣＯＮＴパックの一方を±１パック分だけ調整して、そのパックを再生するようにしてもよい。
【００６７】
ステップＳ１３においてＣＯＮＴパックとＡ−ＣＯＮＴパック内の時刻情報が同一の場合に、そのＡ−ＣＯＮＴパックにより制御されるＡパックを再生するとともにＡパックアドレス（ＳＣＲ情報）を１つインクリメントし（ステップＳ１５）、次いでそのＣＯＮＴパックにより制御されるＶパックを再生するとともにＶパックアドレス（ＳＣＲ情報）を１つインクリメントする（ステップＳ１６）。次いでそのＡパックの再生が終了したか否かをチェックし（ステップＳ１７）、終了していない場合にはステップＳ１８に進み、他方、終了した場合にはステップＳ２０に進む。
【００６８】
ステップＳ１８ではそのＶパックの再生が終了したか否かをチェックし、終了していない場合にはステップＳ１３に戻り、他方、終了した場合にはステップＳ１９に進む。ステップＳ１９ではそのＣＯＮＴパックにより制御される次のＶパックを再生するとともにＶパックアドレスを１つインクリメントし、ステップＳ１３に戻る。ステップＳ２０ではそのＡ−ＣＯＮＴパックにより制御される次のＡパックを再生するとともにＡパックアドレスを１つインクリメントし、次いでＶパックの再生が終了したか否かをチェックし（ステップＳ２１）、終了していない場合にはステップＳ２２に進み、他方、終了した場合にはステップＳ２３に進む。
【００６９】
ステップＳ２２ではそのＡ−ＣＯＮＴパックにより制御されるＡパックが最終パックか否かをチェックし、最終パックでない場合にはステップＳ１６に戻り、他方、最終パックの場合にはステップＳ１２に戻って次のＡ−ＣＯＮＴパックを再生する。ステップＳ２３ではそのＣＯＮＴパックにより制御される次のＶパックを再生するとともにＶパックアドレスを１つインクリメントし、次いでフレームの終了（ＥＯＦ）が否かをチェックし（ステップＳ２４）、ＥＯＦでない場合にはステップＳ１３に戻り、他方、ＥＯＦの場合にはこのＡ−Ｖ同期再生処理を終了する。
【００７０】
次に、図３０、図３１を参照してビデオは再生せず、オーディオのみを再生する処理について説明する。図３０において、オーディオのみのモードが設定されているか否かを判断し（ステップＳ３１）、ＹＥＳの場合にはステップＳ３２に進み、他方、ＮＯの場合にはこの処理を終了する。ステップＳ３２では内部電源スイッチ制御部３０を制御してスイッチＳＷをオフすることによりビデオ処理部１７Ｖへの電源をオフにしてパワーセーブし、次いでＣＯＮＴパックを参照しないモードに設定して図３１に示す処理を実行する（ステップＳ３３）。
【００７１】
図３１において、Ａ−ＣＯＮＴパックを再生し（ステップＳ４１）、次いでそのＡ−ＣＯＮＴパックにより制御されるＡパックを再生するとともにＡパックアドレス（ＳＣＲ情報）を１つインクリメントする（ステップＳ４２）。次いでそのＡパックの再生が終了したか否かをチェックし（ステップＳ４３）、終了していない場合にはステップＳ４２に戻ってそのＡパックの再生を継続し、他方、終了した場合にはステップＳ４４に進んで次のＡパックを再生するとともにＡパックアドレスを１つインクリメントする。
【００７２】
続くステップＳ４５ではそのＡパックの再生が終了したか否かをチェックし、終了していない場合にはステップＳ４７に進み、他方、終了した場合にはステップＳ４６に進む。ステップＳ４６ではそのＡ−ＣＯＮＴパックにより制御されるＡパックが最終パックか否かをチェックし、最終パックの場合にはステップＳ４１に戻って次のＡ−ＣＯＮＴパックを再生し、他方、最終パックでない場合にはステップＳ４４に戻って次のＡパックを再生する。ステップＳ４７ではフレームの終了（ＥＯＦ）が否かをチェックし、ＥＯＦでない場合にはステップＳ４４に戻り、他方、ＥＯＦの場合にはこの再生処理を終了する。
【００７３】
次に、図３２を参照してオーディオ信号のサーチモード処理を説明する。まず、タイトルセットサーチ処理が設定されているか否かを判断し（ステップＳ５１）、ＹＥＳの場合にはステップＳ５２以下に進み、他方、ＮＯの場合にはステップＳ５８以下に進む。ステップＳ５２以下に示すタイトルセットサーチ処理では、前方サーチ処理か（ステップＳ５２）か、後方サーチ処理か（ステップＳ５４）、直接番号サーチ処理か（ステップＳ５６）をチェックし、各処理が設定されている場合には図２０に詳しく示すタイトルセットサーチ情報に基づいてそのタイトルセットに対してそれぞれ前方サーチ処理（ステップＳ５３）、後方サーチ処理（ステップＳ５５）、番号サーチ処理（ステップＳ５７）を実行する。
【００７４】
ステップＳ５８以下では、タイトルサーチ処理が設定されている場合には図２１に示すタイトルサーチ情報に基づいてそのタイトルに対するサーチ処理を実行し（ステップＳ５８→Ｓ５９）、トラックサーチ処理が設定されている場合には図２２に示すトラックサーチ情報に基づいてそのトラックに対するサーチ処理を実行し（ステップＳ６０→Ｓ６１）、インデックスサーチ処理が設定されている場合には図２３に示すインデックスサーチ情報に基づいてそのインデックスに対するサーチ処理を実行し（ステップＳ６２→Ｓ６３）、ハイライトサーチ処理が設定されている場合には図２４に示すハイライトサーチ情報に基づいてそのハイライト処理を実行する（ステップＳ６４→Ｓ６５）。
【００７５】
図３３は第２の実施形態として、図２５に示すようにＶパックとＣＯＮＴパックは含まず、ＡパックとＡ−ＣＯＮＴパックのみを含むように構成したディスクを再生する装置を示し、ビデオ処理部１７Ｖが省略されている。また、オーディオ信号出力手段１２、１３が出力中のＡパックを制御するＡ−ＣＯＮＴパックより前のＡ−ＣＯＮＴパック内のＡＣＤ情報を先読みしてＡＣＤ情報記憶部１４に記憶し、また、ＡＣＤ情報内の文字情報を表示手段２１として平面マトリクスディスプレイ２１’に表示するようにしてもよい。
【００７６】
図３４は第３の実施形態として、ディスク１の最内周部のリードインエリア（図示ＴＯＣ領域１ａ）に追加して記録し、再生開始時にはＴＯＣ検出手段２４がこのＴＯＣ領域１ａを独立してアクセスしてＴＯＣ情報記憶部１４’に記憶する再生装置を示している。また、この構成では、図１５に示すＡＣＤパケット内にプロのミキサが推奨する音質で再生するためのオーディオ再生制御情報が記録されている場合、音質制御情報出力手段３１と音質制御処理手段３２を設けてこの制御情報に基づいて音質を制御するように構成されている。
【００７７】
図３５は他の記録媒体としてＤＶＤ−Ａｖｄディスクの基本フォーマットを示している。このフォーマットは概略的に、ビデオファイルＦ１と、オーディオファイルＦ２とＴＯＣファイルＦ３を含む。そして、このＡｖｄディスクにはコンピュータプログラム・タイトルセット・ファイル（ＣＴＳ）Ｆ４を記録することが許容されている。ビデオファイルＦ１はビデオタイトルセット（ＶＴＳ）を有し、このビデオタイトルセット（ＶＴＳ）はビデオマネージャ（ＶＭＧ）と、ＶＭＧメニュー（ＶＭＧＭ）と複数のＶＴＳ＜１＞〜ＶＴＳ＜ｎ＞を有する。ＶＭＧＭとＶＴＳ＜１＞〜ＶＴＳ＜ｎ＞の各々は、ビデオデータＶ（及びサブピクチャデータ）とオーディオデータＡを有する。
【００７８】
これに対し、オーディオファイルＦ２はオーディオタイトルセット（ＡＴＳ）を有し、このオーディオタイトルセット（ＡＴＳ）はオーディマネージャ（ＡＭＧ）と、ＡＭＧメニュー（ＡＭＧＭ）と複数のＡＴＳ＜１＞〜ＡＴＳ＜ｎ＞を有する。そして、ＡＭＧＭはビデオデータＶ（及びサブピクチャデータ）とオーディオデータＡを有し、また、ＡＴＳ＜１＞〜ＡＴＳ＜ｎ＞の各々は、オーディオデータＡ（及び文字データ）と静止画データＳを有する。ＴＯＣファイルＦ３はこのＡＴＳ＜１＞〜ＡＴＳ＜ｎ＞内のオーディオデータＡを頭出しなどするための情報を含む。
【００７９】
図３６は他のＤＶＤオーディオディスクの基本フォーマットを示している。このフォーマットは概略的に、図３５に示すＤＶＤ−ＡｖｄディスクにおけるビデオファイルＦ１が記録されず、他の構成は同一である。これらの各ディスクにはまた、そのディスクがどの種類かを示すディスク識別子が記録される。
【００８０】
図３７は第４の実施形態の再生装置を示している。この装置の再生部１７はオーディオ再生部１７Ａと、静止画再生部１７Ｓと、ビデオ再生部１７Ｖとプログラム再生部１７Ｐを有し、また、ビデオ再生部１７Ｖとプログラム再生部１７Ｐの電源が制御部２３の制御に基づいて内部電源スイッチ制御部３０及びスイッチＳＷによりオン、オフ制御される。オーディオ再生部１７Ａは、例えば図３５、図３６に示すオーディオファイルＦ２やビデオファイルＦ１内のオーディオデータＡと文字情報を再生し、静止画再生部１７ＳはオーディオファイルＦ２内の静止画データＳを再生する。また、ビデオ再生部１７ＶはビデオファイルＦ１内のビデオデータＶとサブピクチャデータＳＰを再生し、プログラム再生部１７Ｐはコンピュータプログラム・タイトルセット・ファイル（ＣＴＳ）Ｆ４内のコンピュータプログラムＰを再生する。
【００８１】
図３８、図３９はこの第４の実施形態の再生装置の処理を示している。図３８において、制御部２３はまず、ディスク１に記録されているディスク識別子をドライブ装置２を介して読み取ると（ステップＳ７０）、図３９に詳しく示すようなパワーセーブモード判定処理を実行する（ステップＳ７１）。図３９に示す処理では、まず、ディスク識別子に基づいてディスク１がオーディオ（Ａ）ディスクか否かを判別する（ステップＳ９０）。そして、Ａディスクの場合には、プログラムＰが付加されているか否かを判別し（ステップＳ９１）、付加されていない場合にはパワーセーブモードをセットする（ステップＳ９３）。他方、プログラムＰが付加されている場合にはプログラムＰ読み出しモードが設定されているか否かを判別し（ステップＳ９２）、設定されていない場合にはパワーセーブモードをセットし（ステップＳ９３）、他方、設定されている場合にはパワーセーブモードをセットしない（ステップＳ９６）。
【００８２】
また、ステップＳ９０においてＡディスクでない場合には、ユーザにより操作部１８を介してパワーセーブモードが設定されているか否かを判別し（ステップＳ９４）、設定されていない場合にはパワーセーブモードをセットしない（ステップＳ９６）。また、パワーセーブモードが設定されている場合にはビデオ読み出しモードが設定されているか否かを判別し（ステップＳ９５）、設定されている場合にはパワーセーブモードをセットせず（ステップＳ９６）、他方、設定されていない場合にはステップＳ９１以下に進んでプログラムＰが付加されているか否かを判別する。
【００８３】
このパワーセーブモード判定処理を実行すると、図３８に示すようにパワーセーブモードがセットされている場合にはステップＳ７２以下に進み、他方、非セット状態の場合にはステップＳ７４以下に進む。ステップＳ７２以下ではまず、内部電源スイッチ制御部３０によりビデオ再生部１７Ｖとプログラム再生部１７Ｐの電源をオフにする（ステップＳ７２）。なお、ビデオ再生部１７Ｖとプログラム再生部１７Ｐの全ての電源をオフにしないで、ビデオ再生部１７Ｖとプログラム再生部１７Ｐ内の各メモリ（不図示）に対する電源のみをオフにするようにしてもよい。
【００８４】
次いで静止画Ｓ、オーディオ信号Ａ及び文字情報にアクセスする（ステップＳ７３）。そして、読み出したデータストリームから静止画Ｓを分離して伸長、デコードし（ステップＳ８０、Ｓ８１）、また、オーディオ信号Ａを分離してデコードし（ステップＳ８２、Ｓ８３）、また、文字情報を分離して復号化する（ステップＳ８４、Ｓ８５）。次いでこれらの静止画Ｓ、オーディオ信号Ａ及び文字情報を再生モードに応じて同期再生又は単独再生して出力する（ステップＳ８６、Ｓ８７）。
【００８５】
他方、ステップＳ７１においてパワーセーブモードがセットされていない場合には、ビデオ再生部１７Ｖとプログラム再生部１７Ｐの電源をオフにしないでプログラムＰ、ビデオ信号Ｖ、静止画Ｓ、オーディオ信号Ａ及び文字情報にアクセスする（ステップＳ７４）。そして、読み出したデータストリームからプログラムＰを分離してデコードし（ステップＳ７５、Ｓ７６）、他のコンテンツとは独立して単独で出力する（ステップＳ７７）。また、ビデオ信号Ｖを分離してデコードし（ステップＳ７８、Ｓ７９）、これを再生モードに応じて静止画Ｓ、オーディオ信号Ａ及び文字情報と同期再生したり、単独再生して出力する（ステップＳ８６、Ｓ８７）。
【００８６】
【発明の効果】
以上説明したように本発明によれば、オーディオデータを含む第１のパックに対して第１のパック内のオーディオデータに関する再生制御情報と文字情報を含む第２のパックを設け、第２のパック内の文字情報に基づいて再生中の第１のパック内のオーディオデータに関する文字を表示するようにしたので、ＤＶＤにオーディオ信号を主として記録する場合にユーザにとって使い勝手がよいデジタルディスク再生装置を実現することができる。
本発明はまた、オーディオデータを含む第１のパックに対して第１のパック内のオーディオデータに関するサーチ情報を含む第２のパックを設け、第２のパック内のサーチ情報に基づいて第１のパックのオーディオデータをサーチするようにしたので、ＤＶＤにオーディオ信号を主として記録する場合にユーザにとって使い勝手がよいデジタルディスク再生装置を実現することができる。
本発明はまた、オーディオデータのみを再生するモードが設定されている場合、オーディオデータ以外のデータを処理する回路に対する電源をオフにするようにしたので、ＤＶＤにオーディオ信号を主として記録する場合にユーザにとって使い勝手がよい電池駆動型のデジタルディスク再生装置を実現することができる。
本発明はまた、オーディオデータと静止画データのみを再生するモードが設定されている場合、オーディオデータと静止画データ以外のデータを処理する回路に対する電源をオフにするようにしたので、ＤＶＤにオーディオ信号を主として記録する場合にユーザにとって使い勝手がよい電池駆動型のデジタルディスク再生装置を実現することができる。
【図面の簡単な説明】
【図１】ＤＶＤ−ビデオのフォーマットと、本発明に係るＤＶＤ−オーディオのフォーマットの一実施形態を示す説明図である。
【図２】図１のオーディオマネージャ（ＡＭＧ）のフォーマットを詳しく示す説明図である。
【図３】図１のオーディオタイトルセット（ＡＴＳ）のフォーマットを詳しく示す説明図である。
【図４】図２のオーディオマネージャインフォメーション（ＡＭＧＩ）のフォーマットを詳しく示す説明図である。
【図５】図４のオーディオタイトルセット・アトリビュートテーブル（ＡＴＳ−ＡＴＲＴ）のフォーマットを詳しく示す説明図である。
【図６】図５のオーディオタイトルセット・アトリビュートデータ（ＡＴＳ−ＡＴＲ）のフォーマットを詳しく示す説明図である。
【図７】図３のオーディオタイトルセットインフォメーション（ＡＴＳＩ）のフォーマットを詳しく示す説明図である。
【図８】図７のオーディオタイトルセットインフォメーション・マネージメントテーブル（ＡＴＳＩ−ＭＡＴ）のフォーマットを詳しく示す説明図である。
【図９】図８のオーディオタイトルセットメニュー・オーディオストリーム・アトリビュートデータ（ＡＴＳＭ−ＡＳＴ−ＡＴＲ）を詳しく示す説明図である。
【図１０】図８のオーディオタイトルセット・オーディオストリーム・アトリビュートテーブル（ＡＴＳ−ＡＳＴ−ＡＴＲＴ）のフォーマットを詳しく示す説明図である。
【図１１】図１０の各オーディオストリームのアトリビュートデータ（ＡＴＳ−ＡＳＴ−ＡＴＲ）を詳しく示す説明図である。
【図１２】図１のオーディオコンテンツブロックユニット（ＡＣＢＵ）を示す説明図である。
【図１３】図１２のオーディオパックとビデオパックのフォーマットを詳しく示す説明図である。
【図１４】図１２のオーディオコントロール（Ａ−ＣＯＮＴ）パックのフォーマットを詳しく示す説明図である。
【図１５】図１２のオーディオキャラクタディスプレイ（ＡＣＤ）エリアのフォーマットを詳しく示す説明図である。
【図１６】図１５のネームスペース情報により表示される例を示す説明図である。
【図１７】図１４のオーディオサーチデータ（ＡＳＤ）エリアのフォーマットを詳しく示す説明図である。
【図１８】図１７の現在番号情報のフォーマットを詳しく示す説明図である。
【図１９】図１７の現在時刻情報のフォーマットを詳しく示す説明図である。
【図２０】図１７のタイトルセットサーチ情報のフォーマットを詳しく示す説明図である。
【図２１】図１７のタイトルサーチ情報のフォーマットを詳しく示す説明図である。
【図２２】図１７のトラックサーチ情報のフォーマットを詳しく示す説明図である。
【図２３】図１７のインデックスサーチ情報のフォーマットを詳しく示す説明図である。
【図２４】図１７のハイライトサーチ情報のフォーマットを詳しく示す説明図である。
【図２５】図１のオーディオコンテンツブロックユニットの変形例を示す説明図である。
【図２６】ＤＶＤ再生装置の第１の実施形態を示すブロック図である。
【図２７】図２６のＤＶＤ再生装置を機能的に示すブロック図である。
【図２８】Ａ−Ｖ同期再生処理を説明するためのフローチャートである。
【図２９】Ａ−Ｖ同期再生処理を説明するためのフローチャートである。
【図３０】オーディオのみを再生する処理を説明するためのフローチャートである。
【図３１】オーディオのみを再生する処理を説明するためのフローチャートである。
【図３２】オーディオサーチ処理を説明するためのフローチャートである。
【図３３】ＤＶＤ再生装置の第２の実施形態を示すブロック図である。
【図３４】ＤＶＤ再生装置の第３の実施形態を示すブロック図である。
【図３５】他の記録媒体としてＤＶＤ−Ａｖｄディスクの基本フォーマットを示す説明図である。
【図３６】他のＤＶＤオーディオディスクの基本フォーマットを示す説明図である。
【図３７】ＤＶＤ再生装置の第４の実施形態を示すブロック図である。
【図３８】図３７の再生装置の処理を説明するためのフローチャートである。
【図３９】図３８のパワーセーブモード判定処理を詳しく説明するためのフローチャートである。
【符号の説明】
Ａ  オーディオパック（第１のパック）
Ａ−ＣＯＮＴ  オーディオコントロールパック（第２のパック）
Ｖ  ビデオパック（第３のパック）
ＣＯＮＴ  ビデオコントロールパック（第４のパック）
１  ＤＶＤオーディオディスク
３  ＣＯＮＴパック検出部（Ｖパックバッファ４、バッファ取り出し部５、画像変換部６、Ｄ／Ａ変換部７及びパラメータ部８と共に第２の再生手段を構成する。）
４  Ｖパックバッファ
５  バッファ取り出し部
６  画像変換部
７  Ｄ／Ａ変換部
８  パラメータ部
９  Ａ−ＣＯＮＴパック検出部（Ａパックバッファ１０、バッファ取り出し部１１、ＰＣＭ変換部１２、Ｄ／Ａ変換部１３及びパラメータ部１４と共に、オーディオデータ再生手段、第１の再生手段を構成する。）
１０  Ａパックバッファ
１１  バッファ取り出し部
１２  ＰＣＭ変換部
１３  Ｄ／Ａ変換部
１４  パラメータ部（記憶手段）
２０  表示信号生成部（文字表示部２１、平面マトリクスディスプレイ２１’と共に文字表示手段を構成する。）
２１  文字表示部
２１’  平面マトリクスディスプレイ
２３  制御部（内部電源スイッチ制御部３０、スイッチＳＷと共に電源制御手段を構成する。）
３０  内部電源スイッチ制御部
ＳＷ  スイッチ
１７Ａ  オーディオ再生部（第１の再生手段）
１７Ｓ  静止画再生部（第２の再生手段）
１７Ｖ  ビデオ再生部（第３の再生手段）
１７Ｐ  プログラム再生部（第３の再生手段）
【図１】
0003573327.tif 000002
【図２】
0003573327.tif 000003
【図３】
0003573327.tif 000004
【図４】
0003573327.tif 000005
【図５】
0003573327.tif 000006
【図６】
0003573327.tif 000007
【図７】
0003573327.tif 000008
【図８】
0003573327.tif 000009
【図９】
0003573327.tif 000010
【図１０】
0003573327.tif 000011
【図１１】
0003573327.tif 000012
【図１２】
0003573327.tif 000013
【図１３】
0003573327.tif 000014
【図１４】
0003573327.tif 000015
【図１５】
0003573327.tif 000016
【図１６】
0003573327.tif 000017
【図１７】
0003573327.tif 000018
【図１８】
0003573327.tif 000019
【図１９】
0003573327.tif 000020
【図２０】
0003573327.tif 000021
【図２１】
0003573327.tif 000022
【図２２】
0003573327.tif 000023
【図２３】
0003573327.tif 000024
【図２４】
0003573327.tif 000025
【図２５】
0003573327.tif 000026
【図２６】
0003573327.tif 000027
【図２７】
0003573327.tif 000028
【図２８】
0003573327.tif 000029
【図２９】
0003573327.tif 000030
【図３０】
0003573327.tif 000031
【図３１】
0003573327.tif 000032
【図３２】
0003573327.tif 000033
【図３３】
0003573327.tif 000034
【図３４】
0003573327.tif 000035
【図３５】
0003573327.tif 000036
【図３６】
0003573327.tif 000037
【図３７】
0003573327.tif 000038
【図３８】
0003573327.tif 000039
【図３９】
0003573327.tif 000040